(57)【要約】      （修正有）【課題】記録媒体に記録されている全画像の概要を短時間で確認可能としながら、所望の画像を簡単に探し出すことのできる画像表示制御方法を提供する。【解決手段】複数の画像を所定の時間で順次切り替えて表示させる画像表示制御方法であって、表示させる画像を生成するための画像データを記録メディアから取得する画像データ取得ステップ（Ｓ４、Ｓ６、Ｓ８、Ｓ９）と、前記取得した画像データに基づく画像を所定の時間表示させる画像表示制御ステップ（Ｓ１２）とを含み、所定の時間は、第１の時間（０．１秒）と、第１の時間よりも長い第２の時間（０．５秒）とを切り替え可能であり、記録メディアに記録されている画像データは、高圧縮画像データと高圧縮画像データよりも圧縮率が低い低圧縮画像データとを含み、画像データ取得ステップでは、ユーザから指示された所定の時間に応じて高圧縮画像データと低圧縮画像データのいずれかを取得する。【選択図】図４
2006279711.tif 000002
【特許請求の範囲】
【請求項１】
複数の画像を所定の時間で順次切り替えて表示させる画像表示制御方法であって、
前記所定の時間で前記画像の切り替えを指示する切り替え指示に応じて、前記切り替え後に表示させる画像を生成するための画像データを記録媒体から取得する画像データ取得ステップと、
前記取得した画像データに基づく画像を前記所定の時間表示させる画像表示制御ステップとを含み、
前記所定の時間は、第１の時間と、前記第１の時間よりも長い第２の時間とを切り替え可能であり、
前記記録媒体に記録されている前記画像データは、第１の画像データと前記第１の画像データよりも圧縮率が低い第２の画像データとを含み、
前記画像データ取得ステップでは、前記所定の時間に応じて前記第１の画像データと前記第２の画像データのいずれかを取得する画像表示制御方法。
【請求項２】
請求項１記載の画像表示制御方法であって、
前記画像データ取得ステップでは、前記所定の時間が前記第１の時間である場合に前記第１の画像データを取得し、前記所定の時間が前記第２の時間である場合に前記第２の画像データを取得する画像表示制御方法。
【請求項３】
画像データを記録媒体に記録する画像データ記録方法であって、
前記画像データを前記記録媒体の種類に応じた複数の圧縮率で圧縮して複数の圧縮画像データを生成する圧縮画像データ生成ステップと、
前記画像データと前記複数の圧縮画像データとを対応付けて前記記録媒体に記録する画像データ記録ステップとを含む画像データ記録方法。
【請求項４】
コンピュータに、請求項１又は２記載の画像表示制御方法の各ステップを実行させるための画像表示制御プログラム。
【請求項５】
コンピュータに、請求項３記載の画像データ記録方法の各ステップを実行させるための画像データ記録プログラム。
【発明の詳細な説明】
【技術分野】
【０００１】
本発明は、複数の画像を所定の時間で順次切り替えて表示させる画像表示制御方法に関する。
【背景技術】
【０００２】
現在普及しているデジタルカメラの標準ファイルフォーマットであるＥｘｉｆＪＰＥＧは、撮影して得られた原画像データと共に、原画像データを縮小したサムネイル画像データを記録しておく仕様を定めている。例えば、６００万画素の記録画素数を持つデジタルカメラで撮影した場合、原画像データは３０００×２０００画素、サムネイル画像データは１６０×１２０画素といった具合に記録される。そして、記録媒体に記録されている画像データの概要を確認したい場合は、高速に表示可能なサムネイル画像データに基づく画像を表示させ、画像データを詳細に確認したい場合は、原画像データに基づく画像を表示させるといったことが行われている。このように、状況に応じて、サイズの異なる画像を表示させることが広く行われている。従来から、サイズの大きい画像を高速に表示させたいという要望が存在しており、これを実現するための手法として例えば特許文献１，２に記載の方法が提案されている。
【０００３】
又、従来、多数の画像を高速に切り替え表示可能な装置も提案されている。この装置によれば、例えば１秒間に数十枚の画像をパラパラ漫画のように順次切り替えて表示させることができ、記録媒体に記録されている全画像の概要を短時間で確認することが可能である。この装置で表示させる画像の表示時間は一瞬であるため、画像の画質を落とすことができ、これにより高速な画像の切り替えが可能となっている。
【０００４】
【特許文献１】特開平８−７７３２５号公報
【特許文献２】特開平１１−３０８５６９号公報
【発明の開示】
【発明が解決しようとする課題】
【０００５】
本発明は、上記装置のように、記録媒体に記録されている全画像の概要を短時間で確認可能としながら、所望の画像を簡単に探し出すことのできる画像表示制御方法を提供することを目的とする。
【課題を解決するための手段】
【０００６】
本発明の画像表示制御方法は、複数の画像を所定の時間で順次切り替えて表示させる画像表示制御方法であって、前記所定の時間で前記画像の切り替えを指示する切り替え指示に応じて、前記切り替え後に表示させる画像を生成するための画像データを記録媒体から取得する画像データ取得ステップと、前記取得した画像データに基づく画像を前記所定の時間表示させる画像表示制御ステップとを含み、前記所定の時間は、第１の時間と、前記第１の時間よりも長い第２の時間とを切り替え可能であり、前記記録媒体に記録されている前記画像データは、第１の画像データと前記第１の画像データよりも圧縮率が低い第２の画像データとを含み、前記画像データ取得ステップでは、前記所定の時間に応じて前記第１の画像データと前記第２の画像データのいずれかを取得する。
【０００７】
この方法によれば、記録媒体に記録されている全画像の概要を短時間で確認可能としながら、所望の画像を簡単に探し出すことが可能となる。
【０００８】
本発明の画像表示制御方法は、前記画像データ取得ステップでは、前記所定の時間が前記第１の時間である場合に前記第１の画像データを取得し、前記所定の時間が前記第２の時間である場合に前記第２の画像データを取得する。
【０００９】
本発明の画像データ記録方法は、画像データを記録媒体に記録する画像データ記録方法であって、前記画像データを前記記録媒体の種類に応じた複数の圧縮率で圧縮して複数の圧縮画像データを生成する圧縮画像データ生成ステップと、前記画像データと前記複数の圧縮画像データとを対応付けて前記記録媒体に記録する画像データ記録ステップとを含む。
【００１０】
本発明の画像表示制御プログラムは、コンピュータに前記画像表示制御方法の各ステップを実行させるためのプログラムである。
【００１１】
本発明の画像データ記録プログラムは、コンピュータに前記画像データ記録方法の各ステップを実行させるためのプログラムである。
【発明の効果】
【００１２】
本発明によれば、記録媒体に記録されている全画像の概要を短時間で確認可能としながら、所望の画像を簡単に探し出すことのできる画像表示制御方法を提供することができる。
【発明を実施するための最良の形態】
【００１３】
以下、本発明の実施形態について図面を参照して説明する。
【００１４】
図１は、本発明の実施形態を説明するための画像再生システムの概略構成を示す図である。
図１に示す画像再生システムは、画像再生装置１００と、画像再生装置１００に接続されたキーボードやマウス等の入力装置２００と、画像再生装置１００に接続された表示装置３００とを備える。
【００１５】
画像再生装置１００は、例えばユーザの所有するパーソナルコンピュータであり、ＲＡＭ１と、ＲＯＭ２と、制御部３と、メディアドライブ４とを備える。
制御部３は、所定のプログラムによって動作するプロセッサを主体に構成される。ＲＡＭ１は、制御部３のワークメモリである。ＲＯＭ２は、制御部３が実行するプログラム等を記憶する。メディアドライブ４は、メモリカードやＣＤ−Ｒ，ＤＶＤ−Ｒ等の記録メディアＭに記録されているデータを読み出すものである。
【００１６】
記録メディアＭには、本発明の画像表示制御プログラムと、画像データとが記録されている。
【００１７】
図２は、記録メディアＭの階層構成を示す図である。
記録メディアＭには、図２に示すような画像フォルダが記録されている。画像フォルダには、原画像フォルダと、高圧縮ＶＧＡ画像フォルダと、低圧縮ＶＧＡ画像フォルダとが含まれている。
【００１８】
原画像フォルダには、デジタルカメラ等で所定の記録サイズで撮影して得られた画像データである原画像データが名前（画像００１．ｊｐｅｇ、画像００２．ｊｐｅｇ、・・・）を付けて記録されている。高圧縮ＶＧＡ画像フォルダには、原画像データをＶＧＡサイズにリサイズした画像データであるＶＧＡ画像データを、そのサイズを変えずに第１の圧縮率で圧縮した圧縮画像データが、原画像データと同じ名前で記録されている。低圧縮ＶＧＡ画像フォルダには、原画像データをＶＧＡサイズにリサイズした画像データであるＶＧＡ画像データを、そのサイズを変えずに第２の圧縮率（＜第１の圧縮率）で圧縮した圧縮画像データが、原画像データと同じ名前で記録されている。第１の圧縮率は第２の圧縮率よりも大きいため、以下では、第１の圧縮率で圧縮した圧縮画像データを高圧縮画像データといい、第２の圧縮率で圧縮した圧縮画像データを低圧縮画像データという。
【００１９】
このように、記録メディアＭには、画像表示制御プログラムが記録されていると共に、原画像データと、その原画像データから生成されたＶＧＡサイズの高圧縮画像データ（特許請求の範囲の第１の画像データに該当）及び低圧縮画像データ（特許請求の範囲の第２の画像データに該当）とが対応付けて記録されている。
【００２０】
次に、画像表示制御プログラムを実行した制御部３の動作について図面を参照して説明する。
図３は、画像表示制御プログラム実行時に表示装置３００に表示される画面の一例を示す図である。図４は、画像表示制御プログラムを実行した制御部の動作フローを示す図である。
ユーザにより記録メディアＭがメディアドライブ４に装着されると、画像表示制御プログラムが記録メディアＭから読み取られ、読み取られた画像表示制御プログラムが制御部３を介してＲＯＭ２に記録される。そして、制御部３は、この画像表示制御プログラムを実行し、表示装置３００に図３に示すような画面３０を表示させる。
【００２１】
画面３０には、画像が表示される領域３１と、記録メディアＭへの記録順とは逆順に、第１の時間（例えば０．１秒とする）で画像を順次切り替えて表示させていく高速切り替え指示を行うための早戻しボタン３２と、記録メディアＭへの記録順とは逆順に、第１の時間よりも長い時間である第２の時間（例えば０．５秒とする）で画像を順次切り替えて表示させていく低速切り替え指示を行うための戻しボタン３３と、記録メディアＭへの記録順に、上記第２の時間で画像を順次切り替えて表示させていく低速切り替え指示を行うための送りボタン３４と、記録メディアＭへの記録順に、上記第１の時間で画像を順次切り替えて表示させていく高速切り替え指示を行うための早送りボタン３５と、画面３０を閉じて画像表示制御プログラムを終了する指示を行うための閉じるボタン３６とが表示される。
【００２２】
そして、ユーザによっていずれかのボタンがマウスによって押下され（Ｓ１）、押下されたボタンが閉じるボタンであった場合（Ｓ２：ＹＥＳ）、制御部３は、画像表示制御プログラムを終了する。
【００２３】
一方、押下されたボタンが閉じるボタン以外のボタンであり（Ｓ２：ＮＯ）、押下されたボタンが早戻しボタン３２であった場合（Ｓ３：ＹＥＳ）、制御部３は、切り替え後に画面３０の領域３１に表示させるべき画像を生成するための２つの画像データ（高圧縮画像データ，低圧縮画像データ）のうちの高圧縮画像データを、記録メディアＭの高圧縮ＶＧＡ画像フォルダから取得する（Ｓ４）。
【００２４】
押下されたボタンが戻しボタン３３であった場合（Ｓ５：ＹＥＳ）、制御部３は、切り替え後に画面３０の領域３１に表示させるべき画像を生成するための２つの画像データ（高圧縮画像データ，低圧縮画像データ）のうちの低圧縮画像データを、記録メディアＭの低圧縮ＶＧＡ画像フォルダから取得する（Ｓ６）。
【００２５】
押下されたボタンが送りボタン３４であった場合（Ｓ７：ＹＥＳ）、制御部３は、切り替え後に画面３０の領域３１に表示させるべき画像を生成するための２つの画像データ（高圧縮画像データ，低圧縮画像データ）のうちの低圧縮画像データを、記録メディアＭの低圧縮ＶＧＡ画像フォルダから取得する（Ｓ８）。
【００２６】
押下されたボタンが早送りボタン３５であった場合（Ｓ７：ＮＯ）、制御部３は、切り替え後に画面３０の領域３１に表示させるべき画像を生成するための２つの画像データ（高圧縮画像データ，低圧縮画像データ）のうちの高圧縮画像データを、記録メディアＭの高圧縮ＶＧＡ画像フォルダから取得する（Ｓ９）。
【００２７】
高圧縮画像データ又は低圧縮画像データを取得後、制御部３は、ユーザにより押下されたボタンの種類に応じて、画像の表示時間であるディレイ値をセットし（Ｓ１０）、取得した高圧縮画像データ又は低圧縮画像データの解凍を行い（Ｓ１１）、解凍後の高圧縮画像データ又は低圧縮画像データに基づく画像を、上記セットした表示時間だけ表示装置３００に表示させる（Ｓ１２）。
【００２８】
ユーザにより閉じるボタン以外のいずれかのボタンの押下が継続して行われている場合（Ｓ１３：ＮＯ）、制御部３は、Ｓ３〜Ｓ１２までの処理を繰り返し行う。これにより、早戻しボタン３２が押下されている間は、記録メディアＭに記録されている高圧縮画像データに基づく低画質の画像が、その記録順とは逆順に０．１秒間隔で順次切り替え表示される。又、戻しボタン３３が押下されている間は、記録メディアＭに記録されている低圧縮画像データに基づく高画質の画像が、その記録順とは逆順に０．５秒間隔で順次切り替え表示される。又、送りボタン３４が押下されている間は、記録メディアＭに記録されている低圧縮画像データに基づく高画質の画像が、その記録順に０．５秒間隔で順次切り替え表示される。又、早送りボタン３５が押下されている間は、記録メディアＭに記録されている高圧縮画像データに基づく低画質の画像が、その記録順に０．１秒間隔で順次切り替え表示される。
【００２９】
一方、ユーザにより閉じるボタン以外のいずれかのボタンの押下が中断された場合（Ｓ１３：ＹＥＳ）、制御部３は、現在表示中の画像をディレイ値に関わらず表示させた状態にする（Ｓ１４）。そして、再びＳ１でボタン操作が行われた場合は、その操作に応じた処理を行う。
【００３０】
このように、短い表示時間で画像を順次切り替え表示させていく指示があった場合は、高圧縮画像データに基づく画像を順次切り替え表示させることで、高速処理が可能となる。高速処理が可能となることにより、例えば、大量の画像の中から所望の画像の大よその位置を把握したり、大量の画像を流し見したりといったことを短時間で行うことができる。
一方で、短い表示時間では、図４のＳ１４において所望の画像を表示させるために、早送りや早戻しを何度も行ってその画像を見つける必要があり、この作業が大変である。そこで、本実施形態のように、上記短い表示時間よりも長い表示時間で画像を切り替え表示させる処理も併せて行えるようにすることにより、例えば、高速切り替え指示を行って所望の画像の近くの位置にある画像を表示させた状態にしておき、この状態から、低速切り替え指示を行って、所望の画像を簡単に探し出すといったことが可能となる。本実施形態では、低速切り替え指示が行われた場合、低圧縮画像データに基づく高画質の画像を切り替え表示させているため、所望の画像を簡単に探し出すことができる効果に加え、その画像を高画質の状態で確認することができるという効果も得ることができる。
【００３１】
以上のように、本実施形態の画像再生装置１００によれば、記録メディアＭに記録されている大量の画像の概要を確認する際には高速切り替えを利用し、画像の詳細を確認する際には低速切り替えを利用するといった便利な使い分けが可能となる。又、いずれの場合も、同じ画素数で画像が表示されるため、画像が小さくて見づらくなってしまうといった問題がない。
【００３２】
尚、上記の例では、図４のＳ１４において、Ｓ１２で表示中の画像をそのまま表示させるようにしたが、これに限らない。例えば、Ｓ１２で表示中の画像が高圧縮画像データに基づく画像であった場合は、Ｓ１４において、その高圧縮画像データと対応付けて記録メディアＭに記録されている低圧縮画像データに基づく画像を表示させるようにしても良い。
【００３３】
次に、記録ディアＭへのデータの記録方法について説明する。
図５は、本発明の実施形態を説明するための画像データ記録システムの概略構成を示す図である。画像データ記録システムは、ユーザがデジタルカメラ等で撮影してメモリカードに記録した画像データを、ＣＤ−ＲやＤＶＤ−Ｒ等の別の記録メディアに記録してユーザに提供するサービスを実施するためのシステムである。
【００３４】
図５に示す画像再生システムは、画像データ記録装置４００と、画像データ記録装置４００に接続されたキーボードやマウス等の入力装置２００とを備える。
【００３５】
画像データ記録装置４００は、例えば上記サービスを実施する店舗に設置されたコンピュータであり、ＲＡＭ１１と、ＲＯＭ１２と、制御部１３と、メディアドライブ１４と、メディアドライブ１５とを備える。
【００３６】
制御部１３は、本発明の画像データ記録プログラムを含むプログラムによって動作するプロセッサを主体に構成される。ＲＡＭ１１は、制御部１３のワークメモリである。ＲＯＭ１２は、制御部１３が実行するプログラム等を記憶する。メディアドライブ１４は、ユーザから提供されたメモリカードやＣＤ―Ｒ，ＤＶＤ―Ｒ等の記録メディアＭ１に記録されているデータを読み出すためのものである。メディアドライブ１５は、ユーザに提供するためのＣＤ―Ｒ，ＤＶＤ―Ｒ等の空の記録メディアＭに、データを記録するためのものである。
【００３７】
記録メディアＭ１には、ユーザによってデジタルカメラで撮影して得られた所定画素数（ここではＳＶＧＡサイズとする）の原画像データ（特許請求の範囲の請求項２，３の画像データに該当）が名前を付けて記録されている。
【００３８】
以下、画像データ記録プログラムを実行した制御部１３の動作について図面を参照して説明する。
図６は、画像データ記録プログラムを実行した制御部の動作フローを示す図である。
記録メディアＭ１がメディアドライブ１４に装着され、記録メディアＭがメディアドライブ１５に装着されると、制御部１３は、記録メディアＭの種類を判別する（Ｓ２１）。次に、制御部１３は、図２に示した原画像フォルダと、高圧縮ＶＧＡ画像フォルダと、低圧縮ＶＧＡ画像フォルダとを含む画像フォルダをＲＡＭ１１上に作成する（Ｓ２２）。
【００３９】
次に、制御部１３は、メディアドライブ１４を介して記録メディアＭ１の先頭に記録されている原画像データを取得し、取得した原画像データを原画像フォルダに移動させる（Ｓ２３）。次に、制御部１３は、取得した原画像データをＲＡＭ１１で展開してＶＧＡサイズにリサイズしてデータ量を圧縮し、ＲＡＭ１１上にＶＧＡ画像データを生成する（Ｓ２４）。
【００４０】
上述した高圧縮画像データは、画像再生装置１００で再生する際に、例えば１秒間で１０個読み出すことができなくてはならない。又、上述した低圧縮画像データは、画像再生装置１００で再生する際に、例えば１秒間で２個読み出すことができなくてはならない。一方、記録メディアＭは、その種類によって読み出しレートが異なる。このため、例えば、ＣＤ−Ｒの読み出しレートが４００ｋｂｐｓ、ＤＶＤ−Ｒの読み出しレートが６００ｋｂｐｓとすると、記録メディアＭがＣＤ−Ｒの場合は、高圧縮画像データのデータ量が４０ｋｂ以下、低圧縮画像データのデータ量が２００ｋｂ以下となるように圧縮率を決定する必要がある。又、記録メディアＭがＤＶＤ−Ｒの場合は、高圧縮画像データのデータ量が６０ｋｂ以下、低圧縮画像データのデータ量が３００ｋｂ以下となるように圧縮率を決定する必要がある。
【００４１】
そこで、制御部１３は、Ｓ２１で判別した記録メディアＭの種類（読み出しレート）に応じて高圧縮画像データを生成するための圧縮率と、低圧縮画像データを生成するための圧縮率とを決定し、この２つの圧縮率でＶＧＡ画像データをそのサイズを変えないで圧縮して高圧縮画像データと低圧縮画像データを生成する（Ｓ２５）。そして、高圧縮画像データに原画像データと同じ名前を付して高圧縮ＶＧＡ画像フォルダに移動し、低圧縮画像データに原画像データと同じ名前を付して低圧縮ＶＧＡ画像フォルダに移動する（Ｓ２６）。これにより、画像フォルダ内において、原画像データと、それから生成された高圧縮画像データ及び低圧縮画像データとの対応付けがなされる。
【００４２】
次に、制御部１３は、ＲＡＭ１１からＶＧＡ画像データを消去し（Ｓ２７）、記録メディアＭ１に、高圧縮画像データ及び低圧縮画像データをまだ生成していない他の原画像データがある場合は（Ｓ２８：ＹＥＳ）、Ｓ２３に処理を以降する。一方、記録メディアＭ１に、高圧縮画像データ及び低圧縮画像データをまだ生成していない他の原画像データがない場合は（Ｓ２８：ＮＯ）、ＲＡＭ１１に生成した画像フォルダと、画像表示制御プログラムと、図７に示すような情報とをメディアドライブ１５を介して記録メディアＭに記録する（Ｓ２９）。図７に示した情報のうち、“メディア”は、記録メディアＭの読み出しレートを示し、“高圧縮画像データサイズ”は、記録メディアＭに記録した高圧縮画像データのデータ量を示し、“低圧縮画像データサイズ”は、記録メディアＭに記録した低圧縮画像データのデータ量を示す。
【００４３】
このようにしてデータを記録した記録媒体Ｍをユーザに提供することで、ユーザは、図１に示した画像再生装置を用いて画像の確認を行うことが可能となる。
【００４４】
尚、図６の説明では、Ｓ２４でＶＧＡ画像データを一旦生成しているが、原画像データが元々ＶＧＡサイズである場合には、この処理は不要である。この場合には、Ｓ２５において、原画像データをそのサイズを変えずに直接圧縮して高圧縮画像データ及び低圧縮画像データを生成すれば良い。
又、原画像データがＶＧＡサイズであり、更に、生成すべき低圧縮画像データのデータ量と原画像データのデータ量が同じであった場合には、原画像データから低圧縮画像データを生成する処理は不要である。この場合は、原画像データが低圧縮画像データとなるため、Ｓ２６では、低圧縮ＶＧＡ画像フォルダに原画像データをコピーさせる処理を行えば良い。
【００４５】
又、本実施形態では、原画像データを２つの圧縮率で圧縮して高圧縮画像データ及び低圧縮画像データを生成しているが、２つに限らず、複数の圧縮率で圧縮して複数の圧縮画像データを生成しても良い。
【図面の簡単な説明】
【００４６】
【図１】本発明の実施形態を説明するための画像再生システムの概略構成を示す図
【図２】記録メディアＭの階層構成を示す図
【図３】画像表示制御プログラム実行時に表示装置３００に表示される画面の一例を示す図
【図４】画像表示制御プログラムを実行した制御部の動作フローを示す図
【図５】本発明の実施形態を説明するための画像データ記録システムの概略構成を示す図
【図６】画像データ記録プログラムを実行した制御部の動作フローを示す図
【図７】記録メディアに記録される情報の一例を示す図
【符号の説明】
【００４７】
１１  ＲＡＭ
１２  ＲＯＭ
１３  制御部
１４，１５  メディアドライブ
３０  画面
３１  画像表示領域
３２  早戻しボタン
３３  戻しボタン
３４  送りボタン
３５  早送りボタン
３６  閉じるボタン
１００  画像再生装置
２００  入力装置
３００  表示装置
４００  画像データ記録装置
Ｍ，Ｍ１  記録メディア
【図１】
2006279711.tif 000003
【図２】
2006279711.tif 000004
【図３】
2006279711.tif 000005
【図４】
2006279711.tif 000006
【図５】
2006279711.tif 000007
【図６】
2006279711.tif 000008
【図７】
2006279711.tif 000009